(57)【特許請求の範囲】
【請求項１】
反射鏡アンテナの測定法において、
被測定アンテナの鏡面誤差を考慮して計算によって得た被測定アンテナ開口の位相分布と、被測定アンテナ開口から離れた位置の１つの測定面で測定した振幅分布とを用いた、以下のステップを有する位相推定アルゴリズムにより、上記測定面における位相分布を推定し、この位相分布の推定値と先の振幅分布の測定値とを用いて、被測定アンテナの放射特性を推定することを特徴とするアンテナ測定法、
（ａ）初期値として、被測定アンテナ開口の適当な振幅分布と、被測定アンテナの鏡面誤差を考慮して計算によって得た被測定アンテナ開口の位相分布を設定するステップ、
（ｂ）上記被測定アンテナ開口の振幅，位相分布の初期値を上記被測定アンテナ開口から離れた測定面にフィールド変換するステップ、
（ｃ）上記測定面にフィールド変換した振幅，位相分布のうち、振幅分布のみを上記測定面で測定した振幅分布に置換するステップ、
（ｄ）上記測定面の振幅，位相分布を、上記被測定アンテナ開口にフィールド変換するステップ、
（ｅ）上記被測定アンテナ開口にフィールド変換した振幅，位相分布のうち、位相分布のみを上記計算によって得た被測定アンテナ開口の位相分布に置換するステップ、
（ｆ）上記被測定アンテナ開口の振幅，位相分布を、上記測定面にフィールド変換するステップ、
（ｇ）上記測定面にフィールド変換した位相分布が収束条件を満たしているか判定し、満たしていれば、上記測定面の位相分布を推定値とし、満たしていなければ上記（ｂ）から（ｇ）までのステップを繰り返すステップ。
【請求項２】
被測定アンテナ、測定プローブ、この測定プローブを平面上で走査するスキャナ、被測定アンテナと上記測定プローブとで信号を送受信する送受信器、及び信号処理部を備えたアンテナの測定装置において、
上記信号処理部が、被測定アンテナの鏡面誤差を考慮して計算によって得た被測定アンテナ開口の位相分布と、被測定アンテナ開口から離れた位置の１つの測定面で測定した振幅分布とを用いた請求項１記載の位相推定アルゴリズムにより、上記測定面における位相分布を推定し、この位相分布の推定値と先の振幅分布の測定値とを用いて、被測定アンテナの放射特性を推定することを特徴とするアンテナ測定装置。
【請求項３】
被測定アンテナ、測定プローブ、この測定プローブを上下に走査するスキャナ、被測定アンテナを設置した１軸の回転軸を有する回転台、被測定アンテナと上記測定プローブとで信号を送受信する送受信器、及び信号処理部を備えたアンテナの測定装置において、
上記信号処理部が、被測定アンテナの鏡面誤差を考慮して計算によって得た被測定アンテナ開口の位相分布と、被測定アンテナ開口から離れた位置の１つの測定面で測定した振幅分布とを用いた請求項１記載の位相推定アルゴリズムにより、上記測定面における位相分布を推定し、この位相分布の推定値と先の振幅分布の測定値とを用いて、被測定アンテナの放射特性を推定することを特徴とするアンテナ測定装置。
【請求項４】
被測定アンテナ、測定プローブ、被測定アンテナを設置した少なくとも２軸の回転軸を有する回転台、被測定アンテナと上記測定プローブとで信号を送受信する送受信器、及び信号処理部を備えたアンテナの測定装置において、
上記信号処理部が、被測定アンテナの鏡面誤差を考慮して計算によって得た被測定アンテナ開口の位相分布と、被測定アンテナ開口から離れた位置の１つの測定面で測定した振幅分布とを用いた請求項１記載の位相推定アルゴリズムにより、上記測定面における位相分布を推定し、この位相分布の推定値と先の振幅分布の測定値とを用いて、被測定アンテナの放射特性を推定することを特徴とするアンテナ測定装置。
【発明の詳細な説明】
【０００１】
【発明の属する技術分野】
本発明は、高周波数で使用するアンテナ測定法及びそれを用いたアンテナ測定装置に関し、特に高周波数で反射鏡アンテナの位相分布を簡易な方法で推定し、精度のよいアンテナの放射特性測定に関する。
【０００２】
【従来の技術】
近年、サブミリ波などの高周波数で用いられるアンテナは、その使用される波長が短いために放射特性を測定するには、高精度な測定装置を必要とする。
電波暗室内で行なわれる近傍界測定において、その振幅，位相分布を高精度に測定する必要があるが、このような高周波数での測定の場合、測定装置の位相測定誤差、設置のアライメント誤差による影響が大きく、位相分布の精密な測定が困難であった。
この問題を解決するのに、従来、例えば、Ｏ．Ｍ．Ｂｕｃｃｉ  ｅｔ．ａｌ．，“Ｆａｒ−ｆｉｅｌｄ  Ｐａｔｔｅｒｎ  Ｄｅｔｅｒｍｉｎａｔｉｏｎ  ｆｒｏｍ  ｔｈｅ  Ｎｅａｒ−Ｆｉｅｌｄ  Ａｍｐｌｉｔｕｄｅ  ｏｎ  Ｔｗｏ  Ｓｕｒｆａｃｅｓ，”ＩＥＥＥ  Ｔｒａｎｓ．Ａｎｔｅｎｎａｓ  Ｐｒｏｐａｇ．，ｖｏｌ．３８，ｎｏ．１１，Ｎｏｖ．１９９０に示されたものがある。
【０００３】
図７は、上記文献に示された従来のアンテナ測定法を説明する概念図である。図において、１は被測定アンテナ、２ａ，２ｂは被測定アンテナの近傍界における２つの異なる測定面である。
また、図８は、上記アンテナ測定法のフェーズリトリーバルによる位相推定アルゴリズムのフローチャートである。
【０００４】
図７に示すように、被測定アンテナ１の開口上に電波の放射される方向をｚ軸とするＯ−ｘｙｚ座標系を定義し、被測定アンテナの開口から離れたｚ＝Ｒ１，Ｒ２の位置の２つの測定面２ａ，２ｂの振幅分布を測定し、これらの振幅分布を用いた、図８に示す位相推定アルゴリズムによって、ｚ＝Ｒ２の位置の測定面２ｂにおける位相分布を推定する。
まず、ＳＴ１１では、初期値として、ｚ＝Ｒ１の位置の測定面２ａで測定された振幅分布と、適当な位相分布を与える。
ＳＴ１２では、上記ｚ＝Ｒ１の測定面２ａでの振幅，位相分布を、ｚ＝Ｒ２にフィールド変換する。
ＳＴ１３では、ｚ＝Ｒ２での振幅，位相分布を得る。
ＳＴ１４では、上記ｚ＝Ｒ２での振幅，位相分布のうち、振幅分布のみをｚ＝Ｒ２で測定された振幅分布に置換する。
ＳＴ１５では、上記ｚ＝Ｒ２での振幅，位相分布を、ｚ＝Ｒ１にフィールド変換する。
ＳＴ１６では、ｚ＝Ｒ１での振幅，位相分布を得る。
ＳＴ１７では、上記ｚ＝Ｒ１での振幅，位相分布のうち、振幅分布のみをｚ＝Ｒ１で測定された振幅分布に置換する。
ＳＴ１８では、上記ｚ＝Ｒ１での振幅，位相分布を、ｚ＝Ｒ２にフィールド変換する。
ＳＴ１９では、ｚ＝Ｒ２にフィールド変換された位相分布が、前回のｚ＝Ｒ２の位相分布と比べて、変化している場合には、ＳＴ１３〜ＳＴ１９のステップを繰り返し、変化していない場合には、収束したとみなす。
上記収束判定条件を満たした上記ｚ＝Ｒ２における位相分布が求める推定値である。
【０００５】
上記の得られたｚ＝Ｒ２における位相分布の推定値と先のｚ＝Ｒ２における振幅分布の測定値を用いて、無限遠方界にフィールド変換することにより、被測定アンテナの放射特性を得ることができる。
【０００６】
【発明が解決しようとする課題】
従来のアンテナ測定法は以上のように構成されていて、反射鏡アンテナの位相分布の推定に、被測定アンテナの開口から離れた２つの測定面で振幅分布を測定する必要があり測定に時間がかかる。
さらに、上記２つの測定面間の距離を正確に設定する必要があるが、設定の際のアライメント誤差が測定誤差要因となるという課題があった。
【０００７】
この発明は、上記のような課題を解決するためになされたもので、高周波数で使用される反射鏡アンテナの位相分布を簡易な方法で推定し、精度よくアンテナの放射特性を測定するアンテナ測定法およびそれを用いたアンテナ測装置を得ることを目的とする。
【０００８】
【課題を解決するための手段】
上記の目的を達成するために、請求項１のアンテナ測定法は、反射鏡アンテナの測定法において、被測定アンテナの鏡面誤差を考慮して計算によって得た被測定アンテナ開口の位相分布と、被測定アンテナ開口から離れた位置の１つの測定面で測定した振幅分布とを用いた、以下のステップを有する位相推定アルゴリズムにより、上記測定面における位相分布を推定し、この位相分布の推定値と先の振幅分布の測定値とを用いて、被測定アンテナの放射特性を推定することを特徴とする、
（ａ）初期値として、被測定アンテナ開口の適当な振幅分布と、被測定アンテナの鏡面誤差を考慮して計算によって得た被測定アンテナ開口の位相分布を設定するステップ、
（ｂ）上記被測定アンテナ開口の振幅，位相分布の初期値を上記被測定アンテナ開口から離れた測定面にフィールド変換するステップ、
（ｃ）上記測定面にフィールド変換した振幅，位相分布のうち、振幅分布のみを上記測定面で測定した振幅分布に置換するステップ、
（ｄ）上記測定面の振幅，位相分布を、上記被測定アンテナ開口にフィールド変換するステップ、
（ｅ）上記被測定アンテナ開口にフィールド変換した振幅，位相分布のうち、位相分布のみを上記計算によって得た被測定アンテナ開口の位相分布に置換するステップ、
（ｆ）上記被測定アンテナ開口の振幅，位相分布を、上記測定面にフィールド変換するステップ、
（ｇ）上記測定面にフィールド変換した位相分布が収束条件を満たしているか判定し、満たしていれば、上記測定面の位相分布を推定値とし、満たしていなければ上記（ｂ）から（ｇ）までのステップを繰り返すステップ。
【０００９】
また、請求項２のアンテナ測定装置は、被測定アンテナ、測定プローブ、この測定プローブを平面上で走査するスキャナ、被測定アンテナと上記測定プローブとで信号を送受信する送受信器、及び信号処理部を備えたアンテナの測定装置において、
上記信号処理部が、被測定アンテナの鏡面誤差を考慮して計算によって得た被測定アンテナ開口の位相分布と、被測定アンテナ開口から離れた位置の１つの測定面で測定した振幅分布とを用いた請求項１記載の位相推定アルゴリズムにより、上記測定面における位相分布を推定し、この位相分布の推定値と先の振幅分布の測定値とを用いて、被測定アンテナの放射特性を推定することを特徴とする。
【００１０】
また、請求項３のアンテナ測定装置は、被測定アンテナ、測定プローブ、この測定プローブを上下に走査するスキャナ、被測定アンテナを設置した１軸の回転軸を有する回転台、被測定アンテナと上記測定プローブとで信号を送受信する送受信器、及び信号処理部を備えたアンテナの測定装置において、
上記信号処理部が、被測定アンテナの鏡面誤差を考慮して計算によって得た被測定アンテナ開口の位相分布と、被測定アンテナ開口から離れた位置の１つの測定面で測定した振幅分布とを用いた請求項１記載の位相推定アルゴリズムにより、上記測定面における位相分布を推定し、この位相分布の推定値と先の振幅分布の測定値とを用いて、被測定アンテナの放射特性を推定することを特徴とする。
【００１１】
また、請求項４のアンテナ測定装置は、被測定アンテナ、測定プローブ、被測定アンテナを設置した少なくとも２軸の回転軸を有する回転台、被測定アンテナと上記測定プローブとで信号を送受信する送受信器、及び信号処理部を備えたアンテナの測定装置において、
上記信号処理部が、被測定アンテナの鏡面誤差を考慮して計算によって得た被測定アンテナ開口の位相分布と、被測定アンテナ開口から離れた位置の１つの測定面で測定した振幅分布とを用いた請求項１記載の位相推定アルゴリズムにより、上記測定面における位相分布を推定し、この位相分布の推定値と先の振幅分布の測定値とを用いて、被測定アンテナの放射特性を推定することを特徴とする。
【００１２】
【発明の実施の形態】
実施の形態１．
図１はこの発明のアンテナ測定法の実施の形態１を説明する概念図である。
図において、１は被測定アンテナであり、図７に示した従来のものと同様であり、従来と同様の働きをする。２は被測定アンテナ１の開口から離れたｚ＝Ｒ１の位置にある測定面である。
ここでは、測定面が平面の例を示しているが、これに限らず円筒面、球面の場合もある。
図２はこの発明のアンテナ測定法のフェーズリトリーバルによる位相推定アルゴリズムのフローチャートである。
図３は上記被測定アンテナの鏡面誤差とそれに対応した位相差との関係を説明する図である。
図３（ａ）は被測定アンテナ１の鏡面誤差による理想的な鏡面３との光路長差を示す。
図において、１は被測定アンテナ、３は被測定アンテナの理想的な鏡面であり、図示の記号Ａ，Ｍ，Ｂを結ぶ線分は被測定アンテナの鏡面と理想的な鏡面との光路長差を示す。
図３（ｂ）は被測定アンテナの鏡面誤差に応じた開口の位相分布を示す。
図において、縦軸は位相で、横軸は開口での鏡面位置である。
図示の太い実線は、被測定アンテナ１の鏡面誤差を考慮して幾何光学的に計算された位相分布を示し、太い点線は、理想的な鏡面３の開口位相分布を示す。
【００１３】
図１に示すように、被測定アンテナ１の開口上に電波が放射される方向をｚ軸とするＯ−ｘｙｚ座標系において、被測定アンテナ１の開口から離れたｚ＝Ｒ１の測定面２の振幅分布を測定する。
さらに、被測定アンテナ１の鏡面精度を機械測定により測定する。
図３（ａ）に示すように、理想的な鏡面３に対する被測定アンテナ１の製造誤差などによって生じる鏡面誤差による光路長差は、鏡面誤差測定によって知ることができる。
この光路長差をΔｘとすると、それに対応する位相差Δｐは波長λとして幾何光学的に次式で与えられる。
Δｐ＝（２π／λ）Δｘ            （１）
よって、図３（ｂ）に示すように、理想的な鏡面３の位相分布（太い点線）に対する鏡面誤差を考慮した被測定アンテナ１の位相分布（太い実線）を計算することができる。
サブミリ波のような高周波数で用いられる反射鏡アンテナは、通常その大きさは波長に比べて十分大きく、鏡面精度の測定結果を用いて幾何光学的に開口の位相分布を推定することができる。
【００１４】
図２に示す位相推定アルゴリズムによって、被測定アンテナ１の開口から離れたｚ＝Ｒ１の測定面２の位相分布を推定することができる。
まず、ＳＴ２１では、初期値として、被測定アンテナ１の鏡面測定誤差を考慮して計算によって得た被測定アンテナ１の開口（ｚ＝０）の位相分布と、適当な振幅分布とを与える。
ＳＴ２２では、上記ｚ＝０の振幅，位相分布を用いて、ｚ＝Ｒ１にフィールド変換する。
ＳＴ２３では、ｚ＝Ｒ１の振幅，位相分布を得る。
ＳＴ２４では、上記ｚ＝Ｒ１にフィールド変換した振幅，位相分布の内、振幅分布のみをｚ＝Ｒ１で測定した振幅分布に置換する。
ＳＴ２５では、上記ｚ＝Ｒ１の振幅，位相分布を用いて、ｚ＝０にフィールド変換する。
ＳＴ２６では、ｚ＝０の振幅，位相分布を得る。
ＳＴ２７では、上記ｚ＝０にフィールド変換した振幅，位相分布のうち、位相分布のみを、先に計算によって得たｚ＝０の位相分布に置換する。
ＳＴ２８では、上記ｚ＝０の開口の振幅，位相分布を用いて、ｚ＝Ｒ１にフィールド変換する。
ＳＴ２９では、ｚ＝Ｒ１にフィールド変換した位相分布が、前回のｚ＝Ｒ１における位相分布と比べて、変化している場合には、ＳＴ２３〜ＳＴ２９のステップを繰り返し、変化していない場合には、収束したとみなす。
上記収束判定条件を満たしたｚ＝Ｒ１における位相分布が求める推定値である。
【００１５】
上記のｚ＝Ｒ１における位相分布の推定値と先のｚ＝Ｒ１における振幅分布の測定値を用いて、無限遠方界にフィールド変換することにより、被測定アンテナの放射特性を得ることができる。
なお、被測定アンテナ開口から離れたある面での振幅，位相分布が得られるとき、任意の距離における被測定アンテナの放射特性をフィールド変換により求めることができるのは自明である。
【００１６】
この実施の形態１によれば、通常の反射鏡アンテナの性能確認において必ず行なわれる鏡面誤差測定結果をもとに計算によって得た開口の位相分布と、開口面から離れた位置の１つの測定面で測定した振幅分布とを用いた位相推定アルゴリズムにより、高周波数で使用される被測定アンテナの位相分布を簡易な方法で推定することができ、この位相分布の推定値と先の振幅分布の測定値を用いて、被測定アンテナの放射特性を得ることができ、また、２つの測定面の振幅分布の測定が１つの測定面のみでよいため、測定時間を少なくすることができるとともに、２つの測定面間の距離を精密に設定する際のアライメント誤差による測定誤差が省けて、測定精度を向上することができる。
【００１７】
実施の形態２．
図４はこの発明のアンテナ測定装置の実施の形態２を示す概略構成図である。
図において、１は被測定アンテナ、４は測定プローブ、５は平面走査スキャナ、６は送受信器、１０は信号処理部である。
上記信号処理部１０は、実施の形態１で説明した、被測定アンテナの鏡面誤差を考慮して計算によって得た被測定アンテナ開口の位相分布と、被測定アンテナ開口から離れた位置の１つの測定面で測定した振幅分布とを用いた位相推定アルゴリズムにより、上記測定面における位相分布を推定し、この位相分布の推定値と先の振幅分布の測定値とを用いて、被測定アンテナの放射特性を推定する手段を有する。
【００１８】
次に動作について説明する。
図４に示すように、被測定アンテナ１に対向して、平面走査スキャナ５を用いて測定プローブ４を平面走査することにより、被測定アンテナ１の開口から離れたｚ＝Ｒ１の位置の測定面の振幅分布を測定することができる。
さらに、上記信号処理部１０において、実施の形態１に説明した位相推定アルゴリズムにより得た上記ｚ＝Ｒ１の位置の測定面の位相分布の推定値と、上記ｚ＝Ｒ１の位置の測定面の振幅分布の測定値とを用いて、被測定アンテナの放射特性を推定することができる。
また、被測定アンテナの測定面が平面であるため、位相推定アルゴリズムで用いるフィールド変換には、ＦＦＴ（高速フーリエ変換）を用いることにより、計算時間を短縮することができる。
【００１９】
この実施の形態２によれば、このアンテナ測定装置の信号処理部が、実施の形態１に示した被測定アンテナの放射特性を推定する手段を備え、
通常の反射鏡アンテナの性能確認において必ず行なわれる鏡面誤差測定結果をもとに計算によって得た開口の位相分布と、開口面から離れた位置の１つの測定面で測定した振幅分布とを用いた位相推定アルゴリズムにより、高周波数で使用される被測定アンテナの位相分布を簡易な方法で推定して、この位相分布の推定値と先の振幅分布の測定値を用いて、被測定アンテナの放射特性を推定することができ、また、２つの測定面の振幅分布の測定が１つの測定面のみでよいため、測定時間を少なくすることができるとともに、２つの測定面間の距離を精密に設定する際のアライメント誤差による測定誤差が省けて、測定精度を向上することができる。
【００２０】
実施の形態３．
図５はこの発明のアンテナ測定装置の実施の形態３を示す概略構成図である。
図において、１は被測定アンテナ、４は測定プローブ、７は１軸走査スキャナ、８は１軸回転台、６は送受信器、１０は信号処理部である。
図５に示す１軸回転台８は、ｘ軸方向を回転軸としている。
上記信号処理部１０は、実施の形態１で説明した、被測定アンテナの鏡面誤差を考慮して計算によって得た被測定アンテナ開口の位相分布と、被測定アンテナ開口から離れた位置の１つの測定面で測定した振幅分布とを用いた位相推定アルゴリズムにより、上記測定面における位相分布を推定し、この位相分布の推定値と先の振幅分布の測定値とを用いて、被測定アンテナの放射特性を推定する手段を有する。
【００２１】
次に動作について説明する。
図５に示すように、被測定アンテナ１を設置した１軸回転台８をｘ軸の回りに回転させ、各角度に対して１軸スキャナ７を用いて測定プローブ４を走査することにより、開口から離れた位置の円筒状の測定面の振幅分布を測定することができる。
さらに、上記信号処理部１０において、実施の形態１に説明した位相推定アルゴリズムにより得た上記測定面の位相分布の推定値と、上記測定面の振幅分布の測定値とを用いて、被測定アンテナの放射特性を推定することができる。
また、測定面が円筒状であるため、位相推定アルゴリズムで用いるフィールド変換には、円筒波展開を用いる。
円筒状の測定面の振幅分布を測定するため、被測定アンテナの後方の放射特性も推定することができる。
【００２２】
この実施の形態３によれば、このアンテナ測定装置の信号処理部が、実施の形態１に示した被測定アンテナの放射特性を推定する手段を備え、
通常の反射鏡アンテナの性能確認において必ず行なわれる鏡面誤差測定結果をもとに計算によって得た開口の位相分布と、開口面から離れた位置の１つの測定面で測定した振幅分布とを用いた位相推定アルゴリズムにより、高周波数で使用される被測定アンテナの位相分布を簡易な方法で推定して、この位相分布の推定値と先の振幅分布の測定値を用いて、被測定アンテナの放射特性を推定することができ、また、２つの測定面の振幅分布の測定が１つの測定面のみでよいため、測定時間を少なくすることができるとともに、２つの測定面間の距離を精密に設定する際のアライメント誤差による測定誤差が省けて、測定精度を向上することができる。
【００２３】
実施の形態４．
図６はこの発明のアンテナ測定装置の実施の形態４を示す概略構成図である。
図において、１は被測定アンテナ、４は測定プローブ、６は送受信器、９は２軸回転台、１０は信号処理部である。
図６に示す２軸回転台は、ｘ軸方向、ｙ軸方向を回転軸としている。
上記信号処理部１０は、実施の形態１で説明した、被測定アンテナの鏡面誤差を考慮して計算によって得た被測定アンテナ開口の位相分布と、被測定アンテナ開口から離れた位置の１つの測定面で測定した振幅分布とを用いた位相推定アルゴリズムにより、上記測定面における位相分布を推定し、この位相分布の推定値と先の振幅分布の測定値とを用いて、被測定アンテナの放射特性を推定する手段を有する。
【００２４】
次に動作について説明する。
図６に示すように、被測定アンテナ１を設置した２軸回転台９をｘ軸，ｙ軸の回りに回転させ、各角度に対して測定プローブ４で受信することにより、開口から離れた位置の球面状の測定面の振幅分布を測定することができる。
さらに、上記信号処理部１０において、実施の形態１に説明した位相推定アルゴリズムにより得た上記測定面の位相分布の推定値と、上記測定面の振幅分布の測定値とを用いて、被測定アンテナの放射特性を推定することができる。
また、測定面が球面状であるため、位相推定アルゴリズムで用いるフィールド変換には、球面波展開を用いる。
球面状の測定面の振幅分布を測定するために、被測定アンテナの全方位の放射特性を推定することができる。
【００２５】
この実施の形態４によれば、このアンテナ測定装置の信号処理部が、実施の形態１に示した被測定アンテナの放射特性を推定する手段を備え、
通常の反射鏡アンテナの性能確認において必ず行なわれる鏡面誤差測定結果をもとに計算によって得た開口の位相分布と、開口面から離れた位置の１つの測定面で測定した振幅分布とを用いた位相推定アルゴリズムにより、高周波数で使用される被測定アンテナの位相分布を簡易な方法で推定して、この位相分布の推定値と先の振幅分布の測定値を用いて、被測定アンテナの放射特性を推定することができ、また、２つの測定面の振幅分布の測定が１つの測定面のみでよいため、測定時間を少なくすることができるとともに、２つの測定面間の距離を精密に設定する際のアライメント誤差による測定誤差が省けて、測定精度を向上することができる。
【００２６】
【発明の効果】
以上のように、請求項１の発明のアンテナの測定法によれば、被測定アンテナの鏡面誤差を考慮して計算によって得た被測定アンテナ開口の位相分布と、被測定アンテナ開口から離れた位置の１つの測定面で測定した振幅分布とを用いた位相推定アルゴリズムのステップによって、高周波数で使用される被測定アンテナの位相分布を簡易な方法で推定して、この位相分布の推定値と先の振幅分布の測定値を用いて、被測定アンテナの放射特性を推定することができ、
また、被測定アンテナ開口から離れた２つの測定面の振幅分布の測定が１つの測定面のみでよく測定時間を少なくすることができるとともに、２つの測定面間の距離を精密に設定する際のアライメント誤差による測定誤差が省け、精度よく被測定アンテナの放射特性を推定するアンテナ測定法を得ることができる。
【００２７】
また、請求項２の発明のアンテナの測定装置によれば、被測定アンテナ、測定プローブ、この測定プローブを平面上で走査するスキャナ、被測定アンテナと上記測定プローブとで信号を送受信する送受信器、及び信号処理部を備えたアンテナの測定装置において、
上記信号処理部が、請求項１のアンテナ測定法における被測定アンテナの放射特性を推定する手段を有することにより、高周波数で使用される被測定アンテナの位相分布を簡易な方法で推定して、この位相分布の推定値と先の振幅分布の測定値を用いて、被測定アンテナの放射特性を推定することができ、
また、被測定アンテナ開口から離れた２つの測定面の振幅分布の測定が１つの測定面のみでよく測定時間を少なくすることができるとともに、２つの測定面間の距離を精密に設定する際のアライメント誤差による測定誤差が省け、精度よく被測定アンテナの放射特性を推定するアンテナ測定装置を得ることができる。
【００２８】
また、請求項３の発明のアンテナの測定装置によれば、被測定アンテナ、測定プローブ、この測定プローブを上下に走査するスキャナ、被測定アンテナを設置した１軸の回転軸を有する回転台、被測定アンテナと上記測定プローブとで信号を送受信する送受信器、及び信号処理部を備えたアンテナの測定装置において、
上記信号処理部が、請求項１のアンテナ測定法における被測定アンテナの放射特性を推定する手段を有することにより、高周波数で使用される被測定アンテナの位相分布を簡易な方法で推定して、この位相分布の推定値と先の振幅分布の測定値を用いて、被測定アンテナの放射特性を推定することができ、
また、被測定アンテナ開口から離れた２つの測定面の振幅分布の測定が１つの測定面のみでよく測定時間を少なくすることができるとともに、２つの測定面間の距離を精密に設定する際のアライメント誤差による測定誤差が省け、精度よく被測定アンテナの放射特性を推定するアンテナ測定装置を得ることができる。
【００２９】
また、請求項４の発明のアンテナの測定装置によれば、被測定アンテナ、測定プローブ、被測定アンテナを設置した少なくとも２軸の回転軸を有する回転台、被測定アンテナと上記測定プローブとで信号を送受信する送受信器、及び信号処理部を備えたアンテナの測定装置において、
上記信号処理部が、請求項１のアンテナ測定法における被測定アンテナの放射特性を推定する手段を有することにより、高周波数で使用される被測定アンテナの位相分布を簡易な方法で推定して、この位相分布の推定値と先の振幅分布の測定値を用いて、被測定アンテナの放射特性を推定することができ、
また、被測定アンテナ開口から離れた２つの測定面の振幅分布の測定が１つの測定面のみでよく測定時間を少なくすることができるとともに．２つの測定面間の距離を精密に設定する際のアライメント誤差による測定誤差が省け、精度よく被測定アンテナの放射特性を推定するアンテナ測定装置を得ることができる。
【図面の簡単な説明】
【図１】  この発明のアンテナ測定法の実施の形態１を説明する概念図である。
【図２】  この発明のアンテナ測定法の位相推定アルゴリズムを示すフローチャートである。
【図３】  アンテナの測定における鏡面誤差とそれに対応する位相差との関係を説明する図である。
【図４】  この発明のアンテナ測定装置の実施の形態２を示す概略構成図である。
【図５】  この発明のアンテナ測定装置の実施の形態３を示す概略構成図である。
【図６】  この発明のアンテナ測定装置の実施の形態４を示す概略構成図である。
【図７】  従来のアンテナ測定法を説明する概念図である。
【図８】  従来のアンテナ測定法の位相推定アルゴリズムを示すフローチャートである。
【符号の説明】
１  被測定アンテナ、２  測定面、３  理想的な鏡面、４  測定プローブ、５  平面走査スキャナ、６  送受信器、７  １軸走査スキャナ、８  １軸回転台、９  ２軸回転台、１０  信号処理部。
【図１】
0004156704.tif 000002
【図２】
0004156704.tif 000003
【図３】
0004156704.tif 000004
【図４】
0004156704.tif 000005
【図５】
0004156704.tif 000006
【図６】
0004156704.tif 000007
【図７】
0004156704.tif 000008
【図８】
0004156704.tif 000009